(57)【特許請求の範囲】
【請求項１】
回路基板を内蔵し、所定箇所に開口部が内外に貫通して設けられたケースと、前記回路基板上に配置された弾性を有する接点シートと、前記回路基板に電気的に接続されるスピーカと、を備え、
前記接点シートには、前記回路基板の上下に開放されて前記スピーカが圧入により嵌着するスピーカ嵌着部が、前記ケースの前記開口部に対応した状態で、一体に形成されており、
前記スピーカ嵌着部には、その上方に延出されて上部が開放されたスカート部が設けられ、
前記接点シートには、前記スピーカ嵌着部の外周に接点部が設けられ、
前記スピーカ嵌着部の上部には、放音孔を有して前記ケースの前記開口部から外部に露出するキートップが、前記接点部の上部に亘って配置されていることを特徴とするスピーカの実装構造。
【請求項２】
前記スピーカ嵌着部の外周に設けられた接点部は、スピーカ嵌着部の外周における１２時、３時、６時、９時の各位置に設けられ、
前記キートップは、前記各接点部を覆う大きさの円板状に形成されていることを特徴とする請求項１に記載のスピーカの実装構造。
【請求項３】
前記キートップは、前記スピーカ嵌着部のスカート部における上部の外周縁と、前記複数の接点部の各上面とに接着剤によって接着されていることを特徴とする請求項２に記載のスピーカの実装構造。
【請求項４】
前記ケースの内部には、前記スピーカ嵌着部の下側に音響空間を形成するための音響壁部が設けられていることを特徴とする請求項１〜請求項３のいずれかに記載のスピーカの実装構造。
【請求項５】
前記スカート部は弾性変形可能に形成されていることを特徴とする請求項１〜請求項４のいずれかに記載のスピーカの実装構造。
【請求項６】
回路基板を内蔵し、所定箇所に開口部が内外に貫通して設けられたケースと、前記回路基板上に配置された弾性を有する接点シートと、前記回路基板に電気的に接続されるスピーカと、を備えた電子機器において、
前記接点シートには、前記回路基板の上下に開放されて前記スピーカが圧入により嵌着するスピーカ嵌着部が、前記ケースの前記開口部に対応した状態で、一体に形成されており、
前記スピーカ嵌着部には、その上方に延出されて上部が開放されたスカート部が設けられ、
前記接点シートには、前記スピーカ嵌着部の外周に接点部が設けられ、
前記スピーカ嵌着部の上部には、放音孔を有して前記ケースの前記開口部から外部に露出するキートップが、前記接点部の上部に亘って配置されていることを特徴とする電子機器。
【請求項７】
前記スピーカ嵌着部の外周に設けられた接点部は、スピーカ嵌着部の外周における１２時、３時、６時、９時の各位置に設けられ、
前記キートップは、前記各接点部を覆う大きさの円板状に形成されていることを特徴とする請求項６に記載の電子機器。
【発明の詳細な説明】
【技術分野】
【０００１】
この発明は、電子辞書、携帯電話機、携帯情報端末機（ＰＤＡ：パーソナル・デジタル・アシスタント）などの電子機器に用いられるスピーカの実装構造及びこの実装構造を備えた電子機器に関する。
【背景技術】
【０００２】
例えば、携帯電話機におけるスピーカの実装構造においては、特許文献１に記載されているように、機器ケース内に設けられた回路基板にスピーカユニットを設けると共に、この回路基板上に複数の接点部を有する接点シートを設け、この接点シート上に複数のキートップを有するキーシートを設け、このキーシートの各キートップを機器ケースの表面から露出させた構成のものが知られている。
【先行技術文献】
【特許文献】
【０００３】
【特許文献１】特開２００５−２３６８９４号公報
【０００４】
このようなスピーカの実装構造では、スピーカユニットで発生した音を機器ケースの表面側に放音するために、スピーカユニットに対応する箇所のキーシートのキートップに放音孔を設けると共に、スピーカユニットに対応する箇所の接点シートの接点部にも放音孔を設けている。
【発明の概要】
【発明が解決しようとする課題】
【０００５】
しかしながら、このような従来のスピーカの実装構造では、回路基板にスピーカユニットを設け、このスピーカユニットの上側に複数の接点部を有する接点シートおよび複数のキートップを有するキーシートを配置した構成であるから、キートップの表面からスピーカユニットの下面までの厚みが厚くなり、薄型化を図ることができないという問題がある。
【０００６】
また、このような従来のスピーカの実装構造では、放音孔が設けられたキーシートのキートップとスピーカユニットとの間に、放音孔が設けられた接点シートの接点部が配置されているため、この接点シートによってスピーカユニットで発生した音を良好に且つ十分に機器ケースの表面から外部に放音することができないという問題もある。
【０００７】
なお、スピーカユニットとキーシートとの間に位置する箇所の接点シートをスピーカユニットの下側に配置し、スピーカユニットをキーシートのキートップに接近させた構成のものも開発されているが、スピーカユニットで発生した音がスピーカユニットの周囲に漏れてしまい、スピーカユニットで発生した音を確実に且つ良好にキートップの放音孔のみから機器ケースの外部に放音することができないという問題がある。
【０００８】
このように、従来のスピーカの実装構造では、スピーカユニットを回路基板に設けた構成であるから、スピーカユニットの上側または下側に接点シートを設けなければならないため、全体の厚みを十分に薄くすることができないばかりか、スピーカで発生した音を機器ケースの外部に確実に且つ良好に放音することができないという問題を解消することができない。
【０００９】
この発明が解決しようとする課題は、簡単な構造で、薄型化を図ることができると共に、スピーカで発生した音を確実に且つ良好にケースの外部に放音することができるスピーカの実装構造を提供することである。
【課題を解決するための手段】
【００１０】
この発明は、上記課題を解決するために、次のような構成要素を備えている。
請求項１に記載の発明は、回路基板を内蔵し、所定箇所に開口部が内外に貫通して設けられたケースと、前記回路基板上に配置された弾性を有する接点シートと、前記回路基板に電気的に接続されるスピーカと、を備え、前記接点シートには、前記回路基板の上下に開放されて前記スピーカが圧入により嵌着するスピーカ嵌着部が、前記ケースの前記開口部に対応した状態で、一体に形成されており、前記スピーカ嵌着部には、その上方に延出されて上部が開放されたスカート部が設けられ、前記接点シートには、前記スピーカ嵌着部の外周に接点部が設けられ、前記スピーカ嵌着部の上部には、放音孔を有して前記ケースの前記開口部から外部に露出するキートップが、前記接点部の上部に亘って配置されていることを特徴とするスピーカの実装構造である。
【００１１】
請求項２に記載の発明は、前記スピーカ嵌着部の外周に設けられた接点部は、スピーカ嵌着部の外周における１２時、３時、６時、９時の各位置に設けられ、前記キートップは、前記各接点部を覆う大きさの円板状に形成されていることを特徴とする請求項１に記載のスピーカの実装構造である。
【００１２】
請求項３に記載の発明は、前記キートップは、前記スピーカ嵌着部のスカート部における上部の外周縁と、前記複数の接点部の各上面とに接着剤によって接着されていることを特徴とする請求項２に記載のスピーカの実装構造である。
【００１３】
請求項４に記載の発明は、前記ケースの内部には、前記スピーカ嵌着部の下側に音響空間を形成するための音響壁部が設けられていることを特徴とする請求項１〜請求項３のいずれかに記載のスピーカの実装構造である。
【００１４】
請求項５に記載の発明は、前記スカート部は弾性変形可能に形成されていることを特徴とする請求項１〜請求項４のいずれかに記載のスピーカの実装構造である。
【００１５】
請求項６に記載の発明は、回路基板を内蔵し、所定箇所に開口部が内外に貫通して設けられたケースと、前記回路基板上に配置された弾性を有する接点シートと、前記回路基板に電気的に接続されるスピーカと、を備えた電子機器において、前記接点シートには、前記回路基板の上下に開放されて前記スピーカが圧入により嵌着するスピーカ嵌着部が、前記ケースの前記開口部に対応した状態で、一体に形成されており、前記スピーカ嵌着部には、その上方に延出されて上部が開放されたスカート部が設けられ、前記接点シートには、前記スピーカ嵌着部の外周に接点部が設けられ、  前記スピーカ嵌着部の上部には、放音孔を有して前記ケースの前記開口部から外部に露出するキートップが、前記接点部の上部に亘って配置されていることを特徴とする電子機器である。
【００１６】
請求項７に記載の発明は、前記スピーカ嵌着部の外周に設けられた接点部は、スピーカ嵌着部の外周における１２時、３時、６時、９時の各位置に設けられ、前記キートップは、前記各接点部を覆う大きさの円板状に形成されていることを特徴とする請求項６に記載の電子機器である。
【発明の効果】
【００１７】
この発明によれば、ケース内の回路基板上に配置された接点シートに回路基板の上下に開放されて一体に形成されたスピーカ嵌着部に、スピーカを嵌め込むだけで、スピーカの音が漏れないように、簡単にスピーカを取り付けることができる。また、スピーカで音を発生した際に、ビビリ音の発生を防いで、スピーカの音をスピーカ嵌着部からケースの開口部を通して外部に放音させることができる。このため、構造が簡単で、部品点数が少なく、薄型化を図ることができると共に、スピーカで発生した音をケースの外部に確実に且つ良好に放音させることができる。
【図面の簡単な説明】
【００１８】
【図１】この発明を電子辞書に適用した一実施形態を示した図である。
【図２】図１に示された電子辞書のスピーカ部を示した拡大平面図である。
【図３】図２に示されたスピーカ部のＡ−Ａ矢視における拡大断面図である。
【図４】図３に示された回路基板を示し、（ａ）はその回路基板の上基板を示した拡大平面図、（ｂ）はその回路基板の下基板を示した拡大平面図である。
【図５】図３に示された接点シートを示した拡大平面図である。
【図６】図５に示された接点シートの挟持部を回路基板の外周縁に挟み込んで、接点シートを回路基板の上面に取り付けた状態で、回路基板を下側から見て示した拡大裏面図である。
【図７】図６のＢ−Ｂ矢視における拡大断面図である。
【図８】図６に示されたスピーカを示した拡大平面図である。
【図９】図８に示されたスピーカが嵌着する接点シートのスピーカ嵌着部を示した要部の拡大裏面図である。
【図１０】図３に示された上部ケースの要部を示した拡大平面図である。
【図１１】図５に示されたスピーカ部における接点シートの要部を示した拡大斜視図である。
【図１２】図２に示されたキートップを示した拡大裏面図である。
【図１３】図３に示された下部ケースの要部を示した拡大斜視図である。
【図１４】図３に示されたスピーカ部においてスピーカを接点シートのスピーカ嵌着部に下側から挿入する状態を示した要部の拡大断面図である。
【図１５】図１４に示されたスピーカがスピーカ嵌着部に嵌着して位置規制された状態を示した要部の拡大断面図である。
【発明を実施するための形態】
【００１９】
以下、図１〜図１５を参照して、この発明を電子辞書に適用した一実施形態について説明する。
この電子辞書は、図１に示すように、第１ケース１と第２ケース２とをヒンジ部３によって開閉可能に連結し、ヒンジ部３を中心に第１、第２の各ケース１、２を回転させて閉じた際に、第１、第２の各ケース１、２が互いに重なり合い、またヒンジ部３を中心に第１、第２の各ケース１、２を回転させて開いた際に、第１、第２の各ケース１、２が互いに開いて展開するように構成されている。
【００２０】
この場合、第１ケース１は、図１に示すように、キー入力部４、タッチ入力部５、およびスピーカ部６を備えており、第２ケース２は、表示部７を備えている。この第２ケース２の表示部７は、液晶表示パネルやＥＬ（エレクトロルミネッセンス）表示パネルなどの平面型の表示パネルからなり、辞書機能に必要な各種の情報を電気光学的に表示するように構成されている。
【００２１】
第１ケース１のキー入力部４は、図１に示すように、文字キー４ａ、ファンクションキー４ｂ、カーソルキー４ｃなどの辞書機能に必要な各種のキーを備えている。この場合、カーソルキー４ｃの中心部には、決定キー４ｄが設けられており、このカーソルキー４ｃの外周部には、２つの補助キー４ｅが設けられている。
【００２２】
また、第１ケース１のタッチ入力部５は、透明なタッチパネルの下面に表示パネル（いずれも図示せず）を重ね合わせたものであり、透明なタッチパネルをタッチ操作すると、そのタッチ操作に応じた手書き情報がその下側の表示パネルに表示され、この表示された情報が入力されるように構成されている。スピーカ部６は、第２ケース２の表示部７に表示された情報を音声で発音するためのものであり、後述するスイッチ機能をも備えている。
【００２３】
この場合、第１ケース１は、図３に示すように、上部ケース８と下部ケース９とからなっている。この上部ケース８と下部ケース９との内部には、回路基板１０がほぼ全域に亘って配置されている。この回路基板１０は、図３および図４に示すように、上基板１０ａと下基板１０ｂとを重ね合わせた２層構造になっている。この上基板１０ａの上面には、図４（ａ）に示すように、キー入力部４の各キー４ａ〜４ｅのうち、カーソルキー４ｃを除いて、複数の固定接点１１ａがキー入力部４の各キー４ａ〜４ｅにそれぞれ対応して設けられている。
【００２４】
また、下基板１０ｂの上面には、図４（ｂ）に示すように、キー入力部４のカーソルキー４ｃに対応する固定接点１１ｂが、図４（ａ）に示す上基板１０ａの接点挿入孔１０ｃに対応して設けられている。また、この回路基板１０の下面、つまり下基板１０ｂの下面には、図６に示すように、辞書機能に必要な各種の電子部品１２が搭載されている。
【００２５】
この回路基板１０の上面、つまり上基板１０ａの上面には、図３に示すように、ゴムやエラストマーなどの弾性材料からなる接点シート１３が配置されている。この接点シート１３には、図５に示すように、複数の接点部１４がキー入力部４の各キー４ａ〜４ｅにそれぞれ対応して一体に設けられている。この場合、上部ケース８には、図１０に示すように、キー入力部４の各キー４ａ〜４ｅにそれぞれ対応する各接点部１４の上部がそれぞれ挿入するキー挿入孔８ａが設けられている。
【００２６】
この接点シート１３の外周縁には、図５〜図７に示すように、回路基板１０の外周縁を挟み付ける挟持部１５が設けられている。この挟持部１５は、図７に示すように、回路基板１０の外周縁における上面から側面を経て下面に延びる溝形状に形成されている。これにより、挟持部１５は、接点シート１３を回路基板１０上に配置した状態で、挟持部１５の内部に回路基板１０の外周縁を嵌め込むことにより、図６および図７に示すように、接点シート１３を回路基板１０に取り付けるように構成されている。
【００２７】
ところで、スピーカ部６は、図２および図３に示すように、第１ケース１の内部に配置された回路基板１０と、この回路基板１０にリード線１６ａによって電気的に接続される円盤状のスピーカ１６と、回路基板１０上に配置されてスピーカ１６が嵌着するスピーカ嵌着部１７が一体に形成された接点シート１３と、この接点シート１３のスピーカ嵌着部１７上に配置されたキートップ１８とを備えている。
【００２８】
この場合、回路基板１０には、図３、図４および図６に示すように、接点シート１３のスピーカ嵌着部１７が挿入する挿入孔１９が上下に貫通して設けられている。接点シート１３のスピーカ嵌着部１７は、図３に示すように、接点シート１３の下面から回路基板１０の挿入孔１９を通して回路基板１０の下側に突出する筒状部２０と、この筒状部２０の上部からその内部に向けて鍔状に突出したストッパー部２１とを備えている。
【００２９】
このスピーカ嵌着部１７の筒状部２０は、図３、図９および図１４に示すように、上下に開放された円筒部である。この筒状部２０は、その内径がスピーカ１６の外径よりも少し小さく形成されていると共に、その高さがスピーカ１６の厚みとほぼ同じ高さに形成されている。これにより、筒状部２０は、その内部にスピーカ１６が下側から圧入によって嵌め込まれるように構成されている。
【００３０】
すなわち、この筒状部２０は、図３および図１５に示すように、その内部にスピーカ１６が嵌め込まれた際に、スピーカ１６の音が漏れる隙間が生じることなく、スピーカ１６が取り付けられるように構成されている。また、ストッパー部２１は、スピーカ１６が筒状部２０内に下側から嵌め込まれた際に、スピーカ１６の外周部の上面が当接することにより、スピーカ１６の上限位置を規制して、スピーカ１６を筒状部２０内に動くことなく固定するように構成されている。
【００３１】
この場合、スピーカ１６の外周部には、図８に示すように、位置決め用の係合突起２２が設けられている。また、スピーカ嵌着部１７の筒状部２０には、図９に示すように、スピーカ１６の係合突起２２が係合する位置決め用の係止溝部２３が、筒状部２０の下端部に開放されて設けられている。これにより、スピーカ１６は、筒状部２０に下側から嵌め込まれる際に、スピーカ１６の係合突起２２を筒状部２０の係止溝部２３に係合させることにより、スピーカ１６の面方向における回転位置が規制されるように構成されている。
【００３２】
また、スピーカ嵌着部１７におけるストパー部２１の内周部上には、図３および図１１に示すように、接点シート１３の上方に弾性変形可能に延出されたスカート部２４が一体に形成されている。このスカート部２４は、スピーカ１６の上側の周囲を囲うためのものであり、その上部が開放され、この開放された上部の周縁上にキートップ１８が配置されるように構成されている。これにより、スカート部２４は、キートップ１８を弾力的に押し上げた状態で保持すると共に、スピーカ１６の上側の周囲を囲んで、スピーカ１６の音が周囲に漏れないにように構成されている。
【００３３】
この場合、接点シート１３には、図３、図５および図１１に示すように、スピーカ嵌着部１７の外周に沿って配列された複数の接点部２５が一体に設けられている。この複数の接点部２５は、スピーカ嵌着部１７の外周における１２時、３時、６時、９時の各位置にそれぞれ設けられている。
【００３４】
この接点部２５は、図３に示すように、それぞれスピーカ嵌着部１７のスカート部２４よりも少し高く形成されたドーム状の膨出部２５ａと、この膨出部２５ａの内部に設けられた可動接点２５ｂと、回路基板１０の上基板１０ａ上に設けられて可動接点２６が接離可能に接触する固定接点２５ｃとを備えている。
【００３５】
これにより、複数の接点部２５は、それぞれキースイッチを形成している。例えば、１２時位置の接点部２５は、ヒストリー（履歴）モードに切り替えるキースイッチ、３時位置の接点部２５は、表示のレイアウトを設定するキースイッチ、６時位置の接点部２５は、ジャンプモードを設定するキースイッチ、９時位置の接点部２５は、文字サイズを選択指定するキースイッチである。
【００３６】
また、スピーカ嵌着部１７の上部には、図３に示すように、キートップ１８が複数の接点部２５の各上部に亘って配置されている。このキートップ１８は、図３に示すように、環状に配列された複数の接点部２５の外形とほぼ同じ大きさの円板状に形成され、図１０に示すように、上部ケース８に設けられた円形孔８ｂ内に配置されて、図２に示すように、上部ケース８の上側に露出するように構成されている。
【００３７】
このキートップ１８は、図１１および図１２に示すように、スピーカ嵌着部１７のスカート部２４における上部の外周縁と、複数の接点部２５の各上面とに、接着剤２６によって接着されている。また、このキートップ１８におけるスピーカ嵌着部１７に対応する中央部には、図２および図３に示すように、複数の放音孔１８ａが上下に貫通して設けられている。これにより、キートップ１８とスピーカ１６との間には、図３および図１５に示すように、スピーカ嵌着部１７のスカート部２４によって、スピーカ１６の音がキートップ１８の放音孔１８ａ以外に漏れないように密閉する密閉空間が形成されている。
【００３８】
また、スピーカ１６の下側には、図３に示すように、第１ケース１の下部ケース９に設けられた音響壁部２７によって音響空間２８が形成されている。すなわち、音響壁部２７は、図１３に示すように、下部ケース９の底部に起立して設けられてスピーカ嵌着部１７の下部外周に密接する半円弧状の壁部２７ａと、下部ケース９の底部にそれぞれ起立して設けられてスピーカ嵌着部１７の下端面に当接する複数の支持柱２７ｂとからなっている。これにより、音響壁部２７は、スピーカ１６の下側に放音された音を下部ケース９内の全体で共鳴させる音響空間２８を形成するように構成されている。
【００３９】
なお、キートップ１８の外周部に位置する箇所、例えば１時と２時との間に位置する箇所と、４時と５時との間に位置する箇所には、図２に示すように、２つの補助キー部３０、３１がそれぞれ設けられている。この２つの補助キー部３０、３１は、図５および図１１に示すように、接点シート１３に設けられた２つの接点部３２ａ、３３ａが、図１０に示す上部ケース８に設けられて上部ケース８の円形孔８ｂに連続する２つの半円形孔８ｃ内に下側から挿入して上側に露出するように構成されている。
【００４０】
この２つの補助キー部３０、３１の各接点部３２、３３は、接点シート１３に設けられた２つの膨出部内に可動接点（図示せず）がそれぞれ設けられ、この可動接点が図４（ｂ）に示す回路基板１０の下基板１０ｂ上に設けられた固定接点３２ａ、３３ａに、図４（ａ）に示す上基板１０ａの接点挿入孔１０ｄを通してそれぞれ接離可能に対向し、この状態で接点部３２、３３が押されて弾性変形した際に、可動接点がそれぞれ固定接点３２ａ、３３ａに接触することにより、スイッチ動作するように構成されている。
【００４１】
次に、このようなスピーカ部６において、スピーカ１６を第１ケース１内に組み込む場合について説明する。
まず、回路基板１０の上面に接点シート１３を取り付ける。このときには、回路基板１０の上面に設けられた各固定接点１１ａに接点シート１３の各接点部１４を対応させると共に、回路基板１０の挿入孔１９に接点シート１３のスピーカ嵌着部１７を対応させる。
【００４２】
この状態で、接点シート１３のスピーカ嵌着部１７を回路基板１０の挿入孔１９に挿入させて回路基板１０の下側に突出させる。これにより、接点シート１３が回路基板１０の上面に配置される。この状態で、接点シート１３の外周縁に設けられた挟持部１５の内部に回路基板１０の外周縁を嵌め込んで、接点シート１３を回路基板１０に取り付ける。
【００４３】
次いで、接点シート１３が取り付けられた回路基板を第１ケース１の上部ケース８内に配置する。このときには、回路基板１０の周囲に位置する接点シート１３の挟持部１５を掴むことにより、回路基板１０に触れずに、回路基板１０を上部ケース８に組み付けることができる。このため、回路基板１０が静電気などの影響を受けことがないので、回路基板１０の品質が維持される。
【００４４】
このように回路基板１０を上部ケース８に組み付ける際には、上部ケース８に設けられた各キー挿入孔８ａに、キー入力部４の各キー４ａ〜４ｅにそれぞれ対応する接点シート１３の各接点部１４の上部を挿入させると共に、上部ケース８に設けられた円形孔８ｂに接点シート１３に設けられたスピーカ嵌着部１７のスカート部２４およびその外周に位置する複数の接点部２５を挿入させる。
【００４５】
そして、上部ケース８の円形孔８ｂに挿入された接点シート１３のスカート部２４およびその外周に位置する複数の接点部２５の上部にキートップ１８を取り付ける。このときには、図１１および図１２に示すように、スピーカ嵌着部１７のスカート部２４の上部外周縁と、複数の接点部２５の各上面とに、接着剤２６を塗布し、この接着剤２６によってキートップ１８を接着する。
【００４６】
これにより、図１４に示すように、キートップ１８に設けられた複数の放音孔１８ａがスピーカ嵌着部１７のスカート部２４における上部の開放された部分に対応した状態で、キートップ１８がスピーカ嵌着部１７のスカート部２４における上部の外周縁および各接点部２５の各上面に取り付けられ、このキートップ１８が上部ケース８の円形孔８ｂ内に配置されて、上部ケース８の上側に露出する。
【００４７】
次いで、図１４に示すように、スピーカ１６をスピーカ嵌着部１７内に下側から挿入する。このときには、図８および図９に示すように、スピーカ１６の外周部に設けられた係合突起２２を、スピーカ嵌着部１７の筒状部２０に設けられた係止溝部２３に対応させて係合させる。これにより、スピーカ１６は筒状部２０に対する面方向における回転位置が規制される。このため、スピーカ１６における音の方向性が決定されるので、音圧のバラツキが防げる。
【００４８】
この状態で、スピーカ１６をスピーカ嵌着部１７の筒状部２０内に下側から圧入させて嵌め込み、スピーカ１６の外周部の上面をスピーカ嵌着部１７のストッパー部２１に当接させる。これにより、スピーカ１６は、図１５に示すように、スピーカ嵌着部１７の筒状部２０内における上限位置が規制されると共に、スピーカ１６の音が周囲に漏れるような隙間が生じることがなく、筒状部２０内に嵌着される。
【００４９】
この状態では、スピーカ１６の上面がキートップ１８に設けられた複数の放音孔１８ａに対応して、スピーカ１６の上側が、スピーカ嵌着部１７のスカート部２４によって周囲を囲まれた状態であることにより、スピーカ１６の上側が、複数の放音孔１８ａ以外からスピーカ１６の音が漏れないように密閉される。
【００５０】
この後、図６に示すように、スピーカ１６をリード線１６ａによって回路基板１０と電気的に接続する。このときには、スピーカ１６がスピーカ嵌着部１７に固定されているので、リード線１６ａをテープなどの固定部材によって回路基板１０に固定する必要がない。このため、リード線１６ａによるスピーカ１６と回路基板１０との接続作業が簡素化し、その接続作業性の向上が図れる。
【００５１】
そして、図３に示すように、上部ケース８の下に下部ケース９を取り付ける。このときには、下部ケース９に設けられた音響壁部２７をスピーカ嵌着部１７の筒状部２０の下端面に対応させる。これにより、スピーカ１６の下側には、音響壁部２７によって下部ケース９の内部に広がる音響空間２８が形成される。
【００５２】
次に、このようなスピーカ１６の実装構造における作用について説明する。
このスピーカ１６が音を発生すると、スピーカ１６の上面側から発生した音がキートップ１８に設けられた複数の放音孔１８ａから上部ケース８の外部に放音される。このときには、スピーカ１６が接点シート１３に設けられたスピーカ嵌着部１７の筒状部２０内に圧入により嵌着されているので、スピーカ１６の音が周囲に漏れることがなく、またスピーカ１６の発音時にビビリ音が発生することはない。
【００５３】
また、このときには、スピーカ１６の上側における周囲がスピーカ嵌着部１７のスカート部２４によって、スピーカ１６の上側の周囲に音が漏れないように密閉されているので、スピーカ１６の上面側の音を確実に且つ良好にキートップ１８の放音孔１８ａから上部ケース８の外部に放音することができる。
【００５４】
一方、スピーカ１６の下面側から放音された音は、音響空間２８によって共鳴される。すなわち、スピーカ１６の下側には、音響壁部２７によって下部ケース９の内部に広がる音響空間２８が形成されているので、スピーカ１６の下面側から放音された音を音響空間２８によって共鳴させることができる。
【００５５】
また、キートップ１８をキー操作する場合には、キートップ１８の１２時、３時、６時、９時の各位置に対応する箇所のいずれかを押圧操作すれば良い。すると、キートップ１８によって接点シート１３に設けられた複数の接点部２５のいずれかが押し下げられて弾性変形し、この弾性変形した接点部２５の膨出部２５ａ内の可動接点２５ｂが回路基板１０上の固定接点２５ｃに接触してオン動作する。
【００５６】
このときには、弾性変形した接点部２５に隣接する箇所に位置するスピーカ嵌着部１７のスカート部２４の一部も、接点部２５の弾性変形に伴って弾性変形する。このため、スピーカ嵌着部１７の外周に位置する複数の接点部２５のキーストロークをスピーカ嵌着部１７のスカート部２４によって十分に確保することができ、これによりキー操作性の向上が図る。
【００５７】
この場合、スカート部２４は大きく弾性変形することがないので、スピーカ１６の上側に形成されている周囲の密閉空間の容積が、少し小さくなるだけで、ほとんど変化しない。このため、スピーカ１６が音を発生している際にキー操作したとしても、キートップ１８のキー操作による影響をほとんど受けずに、スピーカ１６の上面側の音を確実に且つ良好にキートップ１８の放音孔１８ａから上部ケース８の外部に放音することができる。
【００５８】
このように、スピーカ１６が音を発生している際に、キートップ１８をキー操作しても、キートップ１８の放音孔１８ａが使用者の指によって塞がれることがないため、スピーカ１６で発生した上面側の音は、スピーカ嵌着部１７のスカート部２４によって周囲に漏れることがなく、キートップ１８の放音孔１８ａを通して上部ケース８の外部に確実に且つ良好に放音される。
【００５９】
このように、このスピーカ１６の実装構造によれば、上部ケース８内に設けられた回路基板１０上に配置された弾性を有する接点シート１３に、回路基板１０の上下に開放されてスピーカ１６が圧入により嵌着するスピーカ嵌着部１７を一体に形成した構成であるから、接点シート１３のスピーカ嵌着部１７内にスピーカ１６を圧入によって嵌め込むだけで、簡単にスピーカ１６を取り付けることができる。
【００６０】
このため、スピーカ１６の実装構造が簡単で、部品点数も少なく、実装構造全体の厚みを薄くすることができ、これにより第１ケース１全体の薄型化を図ることができると共に、スピーカ１６が接点シート１３のスピーカ嵌着部１７に嵌め込まれているので、スピーカ１６の音が周囲に漏れるような隙間が生じることなく、またスピーカ１６が音を発生する際におけるビビリ音の発生をも防ぐことができる。これにより、スピーカ１６で発生した音をスピーカ嵌着部１７から上部ケース８の外部に確実に且つ良好に放音させることができる。
【００６１】
この場合、スピーカ嵌着部１７は、接点シート１３の下面から回路基板１０の挿入孔１９を通して回路基板１０の下側に突出する筒状部２０と、この筒状部２０の上部からその内部に向けて鍔状に突出したストッパー部２１とを備えていることにより、スピーカ１６を筒状部２０内に音が周囲に漏れないように嵌め込むことができる。また、スピーカ１６が筒状部２０内に圧入によって押し込まれた際に、スピーカ１６の外周部の上面がストッパー部２１に当接することにより、スピーカ１６の上限位置を規制することができる。
【００６２】
これにより、スピーカ１６を筒状部２０内の所定位置に動かないように固定することができるので、スピーカ１６をリード線１６ａによって回路基板１０と電気的に接続する際に、リード線１６ａをテープなどの固定部材によって回路基板１０に固定する必要がない。このため、リード線１６ａによるスピーカ１６と回路基板１０との接続作業を簡素化し、その接続作業性の向上を図ることができる。
【００６３】
また、スピーカ１６の外周部には、係合突起２２が設けられており、スピーカ嵌着部１７の筒状部２０には、スピーカ１６の係合突起２２が係合する位置決め用の係止溝部２３が設けられているので、スピーカ１６を筒状部２０内に下側から嵌め込む際に、スピーカ１６の係合突起２２を筒状部２０の係止溝部２３に係合させることにより、スピーカ１６の面方向における回転位置を規制することができる。このため、スピーカ嵌着部１７に対してスピーカ１６を正確な向きに取り付けることができ、スピーカ１６の音の方向性を決定することができるので、音圧のバラツキを防ぐことができる。
【００６４】
また、スピーカ嵌着部１７におけるストパー部２１の内周部には、その上方に延出されて上部が開放された弾性変形可能なスカート部２４が設けられているので、このスカート部２４によってスピーカ１６の上側の周囲を囲んで、その周囲に音が漏れないように、スピーカ１６の上側における周囲を密閉することができ、これによりスピーカ１６の音をスカート部２４の上部から良好に放音させることができる。
【００６５】
さらに、このスピーカ１６の実装構造によれば、接点シート１３に、スピーカ嵌着部１７の外周に沿って配列された複数の接点部２５が設けられており、スピーカ嵌着部１７の上部には、放音孔１８ａを有するキートップ１８が、複数の接点部２５の各上部に亘って配置されているので、複数の接点部２５に対応する箇所のキートップ１８が押圧されると、いずれかの接点部２５を弾性変形させてスイッチ動作させることができる。
【００６６】
このため、スピーカ嵌着部１７の外周に位置するスペースを、複数の接点部２５による複数のスイッチ部として、有効に利用することができるので、複数のスイッチ部である複数の接点部２５およびスピーカ１６を高密度で実装することができ、これにより機器全体の小型化をも図ることができる。
【００６７】
この場合、スピーカ嵌着部１７の上部には、その上方に延出されて上部が開放された弾性変形可能なスカート部２４が設けられているので、このスカート部２４によってキートップ１８を弾力的に押し上げた状態で保持することができる。このため、キートップ１８を押圧して接点部２５を弾性変形させた際に、この弾性変形した接点部２５に隣接する箇所に位置するスカート部２４の一部も、接点部２５の弾性変形に伴って弾性変形するので、複数の接点部２５に対応する箇所におけるキートップ１８のキーストロークを十分に確保することができ、これによりキートップ１８によるキー操作性の向上を図ることができる。
【００６８】
このようにスピーカ嵌着部１７の上部にキートップ１８を配置しても、キートップ１８に設けられた複数の放音孔１８ａを通してスピーカ１６の音を確実に且つ良好に放音させることができる。この場合、スピーカ嵌着部１７の上部には、スピーカ１６の上部の周囲を囲うスカート部２４が設けられており、このスカート部２４上にキートップ１８が設けられているので、スカート部２４によってスピーカ１６の上側の音を周囲に漏らさず、キートップ１８の複数の放音孔１８ａのみから上部ケース８の外部に確実に且つ良好に放音させることができる。
【００６９】
また、このように、スピーカ１６が音を発生している際に、キートップ１８をキー操作しても、キートップ１８の放音孔１８ａが使用者の指によって塞がれることがないため、スピーカ１６で発生した上面側の音を、スカート部２４によって周囲に漏らすことなく、キートップ１８の放音孔１８ａから上部ケース８の外部に確実に且つ良好に放音させることができる。
【００７０】
また、第１ケース１の下部ケース９内には、スピーカ嵌着部１７の下側に音響空間２８を形成する音響壁部２７が設けられているので、スピーカ１６の下面側から放音された音を音響空間２８によって共鳴させることができ、これによってもスピーカ１６で発生した音を良好に放音させることができる。
【００７１】
さらに、このスピーカ１６の実装構造では、接点シート１３の外周縁に、回路基板１０の外周縁を挟み込む挟持部１５が設けられているので、接点シート１３の挟持部１５の内部に回路基板１０の外周縁を嵌め込むだけで、接点シート１３を回路基板１０に簡単に且つ容易に取り付けることができる。このため、回路基板１０に接点シート１３を取り付けた状態で、１つの部品として管理することができるので、部品管理を容易にできる。
【００７２】
また、回路基板１０の外周縁に接点シート１３の挟持部１５が設けられていることにより、保管中に回路基板１０が静電気による影響を軽減できると共に、回路基板１０を接点シート１３と共に上部ケース８に組み付ける際に、回路基板１０の外周縁に位置する接点シート１３の挟持部１５を掴むことにより、回路基板１０に触れずに、回路基板１０を組み付けることができるので、これによっても回路基板１０が静電気などの影響を受けることがない。このため、回路基板１０の品質を維持することができるほか、接点シート１３の挟持部１５によって防水効果をも高めることができる。
【００７３】
なお、上述した実施形態では、スピーカ１６の外周部に係合突起２２を設け、接点シート１３のスピーカ嵌着部１７の筒状部２０に係合突起２２が係合する位置決め用の係止溝部２３を設けた場合について述べたが、これに限らず、接点シート１３のスピーカ嵌着部１７の筒状部２０に係合突起２２を設け、スピーカ１６の外周部に係合突起２２が係合する位置決め用の係止溝部２３を設けた構成であっても良い。
【００７４】
また、上述した実施形態では、接点シート１３のスピーカ嵌着部１７におけるストッパー部２１の内周部上にスカート部２４を形成した場合について述べたが、必ずしもストッパー部２１の内周部上にスカート部２４を形成する必要はなく、スピーカ嵌着部１７における円筒部２０の上部にスカート部２４を形成した構成であっても良い。
【００７５】
また、上述した実施形態では、スピーカ嵌着部１７の外周に位置する箇所の接点シート１３に複数の接点部２５を環状に配列させて設け、この複数の接点部２５を、ヒストリー（履歴）モードに切り替えるキースイッチ、表示のレイアウトを設定するキースイッチ、ジャンプモードを設定するキースイッチ、文字サイズを選択指定するキースイッチとして機能するように構成した場合について述べたが、これに限らず、第２ケース２の表示部７に表示されたカーソルを上下および左右方向に移動させるカーソルキーとして機能するように構成しても良い。
【００７６】
さらに、上述した実施形態では、この発明のスピーカ１６の実装構造を電子辞書に適用した場合について述べたが、必ずしも電子辞書に適用する必要はなく、例えば携帯電話機、携帯情報端末機（ＰＤＡ：パーソナル・デジタル・アシスタント）などの各種の電子機器に広く適用することができる。
【符号の説明】
【００７７】
１  第１ケース
６  スピーカ部
８  上部ケース
８ｂ  円形孔
９  下部ケース
１０  回路基板
１３  接点シート
１５  挟持部
１６  スピーカ
１７  スピーカ嵌着部
１８  キートップ
１８ａ  キートップの放音孔
１９  回路基板の挿入孔
２０  スピーカ嵌着部の筒状部
２１  スピーカ嵌着部のストッパー部
２２  スピーカの係合突起
２３  スピーカ嵌着部の係止溝部
２４  スピーカ嵌着部のスカート部
２５  接点シートの接点部
２６  接着剤
２７  音響壁部
２８  音響空間
【図１】
0005541382.tif 000002
【図２】
0005541382.tif 000003
【図３】
0005541382.tif 000004
【図４】
0005541382.tif 000005
【図５】
0005541382.tif 000006
【図６】
0005541382.tif 000007
【図７】
0005541382.tif 000008
【図８】
0005541382.tif 000009
【図９】
0005541382.tif 000010
【図１０】
0005541382.tif 000011
【図１１】
0005541382.tif 000012
【図１２】
0005541382.tif 000013
【図１３】
0005541382.tif 000014
【図１４】
0005541382.tif 000015
【図１５】
0005541382.tif 000016